(57)【特許請求の範囲】
【請求項１】
キーボードに単品登録のための複数の商品別キーを設定してなり、入力された商品別キーに割り当てられた商品の販売データを登録処理する商品販売登録データ処理装置において、
特売対象の商品を検出する特売商品検出手段と、特売期間の開始時に前記特売商品検出手段により検出された特売対象商品が割り当てられている前記商品別キーのサイズを拡大できるか否かを判定するサイズ判定手段と、このサイズ判定手段によりサイズを拡大できると判定されると当該商品別キーのサイズを特売対象外の商品が割り当てられた他の商品別キーよりも大きくするサイズ拡大処理手段とを具備したことを特徴とする商品販売登録データ処理装置。
【請求項２】
前記サイズ判定手段は、前記特売対象商品が割り当てられている前記商品別キーに隣接するキーの中に商品が割り当てられていない空きキーがあるか否かを判断し、空きキーがある場合に拡大できると判定することを特徴とする請求項１記載の商品販売登録データ処理装置。
【請求項３】
キーボードに単品登録のための複数の商品別キーを設定してなり、入力された商品別キーに割り当てられた商品の販売データを登録処理する商品販売登録データ処理装置において、
特売対象の商品を検出する特売商品検出手段と、特売期間の開始時に前記特売商品検出手段により検出された特売対象商品が割り当てられている前記商品別キーのサイズを拡大できるか否か判定するサイズ判定手段と、このサイズ判定手段によりサイズを拡大できると判定されると当該商品別キーのサイズを特売対象外の商品が割り当てられた他の商品別キーよりも大きくするサイズ拡大処理手段と、前記サイズ判定手段によりサイズを拡大できないと判定されると当該商品別キーの色を前記特売対象外の商品が割り当てられた他の商品別キーと異ならせる色変更処理手段とを具備したことを特徴とする商品販売登録データ処理装置。
【発明の詳細な説明】
【０００１】
【発明の属する技術分野】
本発明は、タッチパネルを有したＰＯＳ（Ｐｏｉｎｔ  Ｏｆ  Ｓａｌｅｓ）ターミナル等の商品販売登録データ処理装置に関する。
【０００２】
【従来の技術】
タッチパネルを備え、このタッチパネルに単品登録のための複数の商品別キーをプリセットしてなるＰＯＳターミナルは、従来からスーパーマーケット，ファーストフード店等の多くの店舗で使用されている。この種のＰＯＳターミナルは、販売登録対象の商品が割り当てられた商品別キーをキャッシャがタッチ入力するだけで、その商品の販売データを単品登録処理できるので、商品登録操作が簡単である利点がある。ただし、タッチパネルには多数の商品別キーが格子状に配列されているので、操作に不慣れなキャッシャの場合、所望する商品別キーを探し出すまでに時間を要することがあった。
【０００３】
そこで従来、タッチパネル上に配列された各キーの入力回数を一定期間計数し、その期間内に予め設定された回数以上になると当該キーのサイズを他のキーより自動的に大きくして目立たせることにより、使用頻度が高いキーを簡単に探し出せるようにしたものがあった。
【０００４】
【発明が解決しようとする課題】
ところで、スーパーマーケット等では、営業時間中の特定の時間帯に予め選定した特売商品を値下げして販売するサービス、いわゆるタイムサービスを実施する場合がある。このタイムサービスを実施すると、通常、そのサービス時間帯はサービス対象の特売商品が数多く販売される。このため、タッチパネルを有したＰＯＳターミナルにおいて、使用頻度が高いキーを自動的に大きくする技術を利用した場合、サービス時間帯になって特売商品が数多く売れるようになると当該特売商品が割り当てられた商品別キーが拡大されるので、探し出しやすくなる。
【０００５】
しかし、当該商品別キーが拡大されるのは、タイムサービスの時間帯になって特売商品が数多く売れるようになってからなので、タイムサービス時間帯の開始時には当該商品別キーが拡大されておらず、探し難い場合があった。
【０００６】
本発明はこのような事情に基づいてなされたもので、その目的とするところは、特売期間中は特売対象の商品が割り当てられた商品別キーを特売対象外の商品が割り当てられた他の商品別キーよりも目立たせることができ、特売対象商品が割り当てられた商品別キーを誰もが容易に探し出すことができる商品販売登録データ処理装置を提供しようとするものである。
【０００７】
【課題を解決するための手段】
本発明は、キーボードに単品登録のための複数の商品別キーを設定してなり、タッチ入力された商品別キーに割り当てられた商品の販売データを登録処理する商品販売登録データ処理装置において、特売期間中になると、キーボードに設定される各商品別キーのうち特売対象の商品が割り当てられた商品別キーのサイズを特売対象外の商品が割り当てられた他の商品別キーよりも大きくする、若しくは他の商品別キーと色を異ならせるようにしたものである。
【０００８】
【発明の実施の形態】
以下、本発明の一実施の形態を図面を用いて説明する。
なお、この実施の形態は、タイムサービスを実施するスーパーマーケットのレジに置かれる商品販売登録データ処理装置，いわゆるＰＯＳターミナルに本発明を適用した場合である。
【０００９】
図１は本実施の形態におけるＰＯＳターミナルの外観図である。このＰＯＳターミナルは、ターミナル本体１の正面にキーボード２とオペレータ用表示器３とを設けており、背面に客用表示器４を設けている。また、レシート印字を行なうためのプリンタ５をターミナル本体１に内蔵しており、このプリンタ５により印字されたレシートをターミナル本体１の正面側に形成したレシート発行口６から発行するようになっている。さらに、現金などを収容するためのドロワ７をターミナル本体１と一体的に形成している。
【００１０】
キーボード２は、タッチパネル部２ａとキーボード部２ｂとからなる。タッチパネル部２ａは、パネルディスプレイ２ａ１の画面上にオペレータのタッチ位置を検出するためのタッチパネルセンサ２ａ２を取り付けたもので、パネルディスプレイ２ａ１の画面には、多数の商品別キーが格子状に配列された商品別キー画像が表示されるようになっている。キーボード部２ｂには、小計キー，預／現計キー，値引キー，クリアキー，責任者キーなどの各種キーが設けられている。また、「登録」，「点検」，「精算」，「設定」等の各種業務モードを選択するための鍵にて切換操作されるモードスイッチ８が、キーボード部２ｂに設けられている。
【００１１】
図２はＰＯＳターミナルの要部構成を示すブロック図である。ＰＯＳターミナルは、制御部本体としてＣＰＵ（Ｃｅｎｔｒａｌ  Ｐｒｏｃｅｓｓｉｎｇ  Ｕｎｉｔ）１１を具備している。また、プログラム等の固定的データが予め格納されたＲＯＭ（Ｒｅａｄ  Ｏｎｌｙ  Ｍｅｍｏｒｙ）１２、各商品の販売データを累積する売上累積メモリ等の各種メモリエリアが形成されるＲＡＭ（Ｒａｎｄｏｍ  Ａｃｃｅｓｓ  Ｍｅｍｏｒｙ）１３、各商品の商品コードに対応して品名，通常単価，特売単価等の商品データがプリセットされた商品データファイル等を記憶するＨＤＤ（Ｈａｒｄ  Ｄｉｓｋ  Ｄｒｉｖｅ）装置１４、現在の日付及び時刻を計時する時計部１５、通信回線を介して接続されたホストコンピュータとのデータ通信を制御する通信インタフェース１６、前記モードスイッチ８からの信号を入力し、ドロワ７を前方に開放させるためのドロワ開放装置７ａに駆動信号を出力するＩ／Ｏポート１７、前記キーボード部２ｂに配設された各種キーから操作キーに対応するキー信号を取り込むキーボードコントローラ１８、前記タッチパネル部２ａのタッチパネルセンサ２ａ２からタッチ位置検出信号を取り込むとともに、同タッチパネル部２ａのパネルディスプレイ２ａ１に商品別キー画像を表示させるタッチパネルコントローラ１９、前記オペレータ用表示器３及び客用表示器４にデータを表示させる表示コントローラ２，前記プリンタ５の印字動作を制御するプリンタコントローラ２１等を具備しており、ＣＰＵ１１と、ＲＯＭ１２，ＲＡＭ１３，ＨＤＤ装置１４，時計部１５，通信インタフェース１６，Ｉ／Ｏポート１７及び各コントローラ１８，１９，２９，２１とを、アドレスバス，データバスのバスライン２２で接続している。
【００１２】
かかる構成のＰＯＳターミナルは、ＲＡＭ１３に、図３に示すエリア構成の商品別キー情報テーブル３０を形成している。この商品別キー情報テーブル３０は、パネルディスプレイ２ａ１の画面上に、ｐ（ｐ≧２）行，ｑ（ｑ≧２）列の格子状に表示されるｐ×ｑ個の各商品別キーをそれぞれ左上から右下に向けて順に特定する行列データ（Ａ，１），（Ａ，２），…（Ａ，ｑ），（Ｂ，１），（Ｂ，２），…（ｐ，ｑ−２），（ｐ，ｑ−１），（ｐ，ｑ）に対応して、その商品別キーの行方向（縦）及び列方向（横）の枠数（基準値を１とする）と、その商品別キーの枠内の背景色を決定する色コード（標準色を０とする）と、その商品別キーに割り当てられる商品の商品コード及びキー名称と、その商品別キーが使用可能なときＯＮ状態にセットされ、使用不可能になるとＯＦＦ状態にリセットされる使用可能フラグとを記憶したものである。
【００１３】
またＰＯＳターミナルは、同ＲＡＭ１３に、図４に示すように、タイムサービスに関する情報を記憶するメモリとして、タイムサービス期間の開始時刻及び終了時刻と、そのサービス期間中に値引販売される特売品の数と、その特売品の商品コードとを記憶するタイムサービス情報メモリ４１を設けている。このタイムサービス情報メモリ４１は、１営業日内に複数パターンのタイムサービスが設定される場合、そのパターン数だけ形成される。なお、複数のタイムサービスを設定する場合においてタイムサービス期間が重複することはない。この他、第１及び第２のカウンタ４２，４３、１商取引として売上げる商品の登録中にセットされる登録中フラグＦ１のフラグメモリ４４、商品登録操作を禁止するときにセットされる登録禁止フラグＦ２のフラグメモリ４５等がＲＡＭ１３に形成されている。
【００１４】
しかして、ＰＯＳターミナルは、モードスイッチ８により「登録」モードが選択されると、ＣＰＵ１１が図５の流れ図に示す処理を実行するようにプログラムを構成している。
【００１５】
先ず、ＳＴ（ステップ）１として商品別キー情報テーブル３０のデータに基づいてパネルディスプレイ２ａ１に商品別キー画面を表示させる。すなわち、行方向にｐ個、列方向にｑ個の格子状に配列されたｐ×ｑ個の商品別キーの枠内に、そのキーの行列（ｐ，ｑ）と一致する行列データに対応して商品別キー情報テーブル３０に設定されているキー名称をそれぞれセットして商品別キー画面を形成し、この商品別キー画面をパネルディスプレイ２ａ１に表示させる。
【００１６】
次に、ＳＴ２としてフラグメモリ４５の登録禁止フラグＦ２をリセットして、登録禁止状態を解除する。しかる後、ＳＴ３としてキーボード２からのキー入力を待機する。そして、ＳＴ４としてタッチパネル部２ａの商品別キーがタッチ入力されたことをタッチパネルセンサ２ａ２からの信号により検知した場合には、ＳＴ５として登録禁止フラグＦ２がリセットされていることを確認後、ＳＴ６として次の如く商品販売データ登録処理を実行する。先ず、商品別キー画面に商品された各商品別キーの中のどの行列に位置する商品別キーがタッチ入力されたのかをタッチパネルセンサ２ａ２からの信号により判別する。そして、タッチ入力された商品別キーを判別できたならば、次に、商品別キー情報テーブル３０を参照して、当該商品別キーの行列データに対応して設定されている商品コードを取得する。そして、この商品コードに対応する商品データを商品データファイルから読出し、この商品データに基づいて当該商品の販売データをＲＡＭ１３の売上累積メモリに登録処理する。このとき、オペレータ用表示器３及び客用表示器４に登録商品の品名，価格等を表示する。その後、ＣＰＵ１１は、ＳＴ３に戻り、次のキー入力を待機するものとなっている。
【００１７】
またＣＰＵ１１は、ＳＴ３のキー入力待ちのとき、時計部１５で計時されている現在時刻がタイムサービス情報メモリ４１に設定されているタイムサービス期間の開始時刻または終了時刻になったか否かを常時判断している。そして、ＳＴ７として現在時刻がタイムサービス期間の開始時刻に一致した場合にはタイムサービス開始処理を実行し、ＳＴ８としてタイムサービス期間の終了時刻に一致した場合にはタイムサービス終了処理を実行するものとなっている。
【００１８】
図６は上記タイムサービス開始処理を具体的に示す流れ図である。ＣＰＵ１１は、このタイムサービス開始処理を開始すると、先ず、ＳＴ１１としてフラグメモリ４４の登録中フラグＦ１を調べる。そして、登録中フラグＦ１がセットされていた場合には、１商取引の商品登録中にタイムサービス開始時刻になったので、その商品登録が終了するまで、つまり登録中フラグＦ１がリセットされるまで待機する。
【００１９】
ＳＴ１１にて登録中フラグＦ１がリセットされていることを確認した場合には、ＳＴ１２としてフラグメモリ４５の登録禁止フラグＦ２をセットして、商品登録操作を一時的に禁止する。次に、ＳＴ１３として第１カウンタ４２のカウント値ｍを“０”に設定する。また、第２カウンタ４３のカウント値ｎを、現在時刻がタイムサービス期間中のタイムサービス情報メモリ４１の特売品数Ｎに設定する。
【００２０】
次に、ＳＴ１４として第１のカウンタ４２のカウント値ｍを１だけカウントアップしたならば、ＳＴ１５としてこの第１のカウンタ４２のカウント値ｍが第２カウンタ４３のカウント値ｎを超えたか否かを判断する。ここで、第１のカウンタ４２のカウント値ｍが第２カウンタ４３のカウント値ｎを超えていない場合には、ＳＴ１６として現在時刻がタイムサービス期間中のタイムサービス情報メモリ４１に設定されている特売品ｍ（ｍは第１のカウンタ４２のカウント値ｍ）の商品コードを取得する。そして、ＳＴ１７として商品別キー情報テーブル３０を参照して、当該商品コードが設定された商品のタッチパネル部３ａ上のキーを拡大できるか否かを判断する。
【００２１】
この処理は、当該商品コードが設定された商品のキーに隣接するキーに空きがあるか否かを調べ、空いている場合に拡大可能と判断する処理である。例えば、特売品ｍの商品コードに対応する行列データが（ｉ，ｊ）であるとき、行列データ（ｉ，ｊ−１），（ｉ，ｊ＋１），（ｉ−１，ｊ）及び（ｉ＋１，ｊ）にそれぞれ対応する商品別キー情報テーブル３０のデータを調べる。そして、行列データ（ｉ，ｊ−１）に対して商品コードが設定されていない場合には、特売品ｍの商品別キーの上方に隣接するキーが空いているので拡大可能と判断する。また、行列データ（ｉ，ｊ＋１）に対して商品コードが設定されていない場合には、特売品ｍの商品別キーの下方に隣接するキーが空いているので拡大可能と判断する。同様に、行列データ（ｉ−１，ｊ）に対して商品コードが設定されていない場合には、特売品ｍの商品別キーの左方に隣接するキーが空いているので拡大可能と判断し、行列データ（ｉ＋１，ｊ）に対して商品コードが設定されていない場合には、特売品ｍの商品別キーの右方に隣接するキーが空いているので拡大可能と判断する。なお、複数の隣接するキーが空いている場合には、例えば右方，下方，左方，上方の順に優先順位を予め設定し、優先順位が高い方を選択して拡大可能と判断する。これに対し、行列データ（ｉ，ｊ−１），（ｉ，ｊ＋１），（ｉ−１，ｊ）及び（ｉ＋１，ｊ）に対していずれも商品コードが設定されている場合には、拡大不可と判断する。
【００２２】
ＳＴ１７にて拡大可能と判断した場合、ＣＰＵ１１は、ＳＴ１８としてキー枠拡大処理を実行する。この処理は、特売品ｍの商品別キーに対して右側のキーが空いており拡大可能と判断した場合（前記の例では行列データ（ｉ，ｊ＋１）に対して商品コードが設定されていない場合）には、特売品ｍの商品別キーを右方向に２倍に拡大するとともに、タイムサービス情報メモリ４１の特売品ｍの商品コードに対応する横方向枠数を「２」とする処理である。また、特売品ｍの商品別キーに対して下側のキーが空いており拡大可能と判断した場合（前記の例では行列データ（ｉ＋１，ｊ）に対して商品コードが設定されていない場合）には、特売品ｍの商品別キーを下方向に２倍に拡大するとともに、タイムサービス情報メモリ４１の特売品ｍの商品コードに対応する縦方向枠数を「２」とする処理である。また、特売品ｍの商品別キーに対して左側のキーが空いており拡大可能と判断した場合（前記の例では行列データ（ｉ，ｊ−１）に対して商品コードが設定されていない場合）には、特売品ｍの商品別キーを左方向に２倍に拡大するとともに、タイムサービス情報メモリ４１の特売品ｍの商品コードに対応する横方向枠数を「−２」とする処理である。また、特売品ｍの商品別キーに対して上側のキーが空いており拡大可能と判断した場合（前記の例では行列データ（ｉ−１，ｊ）に対して商品コードが設定されていない場合）には、特売品ｍの商品別キーを上方向に２倍に拡大するとともに、タイムサービス情報メモリ４１の特売品ｍの商品コードに対応する縦方向枠数を「−２」とする処理である。
【００２３】
次に、ＣＰＵ１１は、ＳＴ１９として特売品ｍの商品別キーの拡大により使用不可能となったキーポジションの行列データに対応する使用可能フラグをリセットする。すなわち、特売品ｍの商品コードに対応する行列データが（ｉ，ｊ）であり、この特売品ｍの商品別キーを右方向に拡大した場合には、行列データが（ｉ，ｊ＋１）に対応する使用可能フラグをリセットする。同様に、特売品ｍの商品別キーを下方向に拡大した場合には、行列データが（ｉ＋１，ｊ）に対応する使用可能フラグをリセットし、特売品ｍの商品別キーを左方向に拡大した場合には、行列データが（ｉ，ｊ−１）に対応する使用可能フラグをリセットし、特売品ｍの商品別キーを上方向に拡大した場合には、行列データが（ｉ−１，ｊ）に対応する使用可能フラグをリセットする。
【００２４】
次に、ＣＰＵ１１は、ＳＴ２０としてキー色変更処理を実行する。この処理は、特売品ｍの商品別キーの背景色を標準色（例えば白）から予め設定されている特売色（例えば赤）に変更するとともに、特売品ｍの商品コードに対応して商品別キー情報テーブル３０に設定されている色コードを、標準色のコード０から特売色のコード１に変更する処理である。その後、ＣＰＵ１１は、ＳＴ１４の処理に戻り、第１のカウンタ４２のカウント値ｍを１だけカウントアップして、第２カウンタ４３のカウント値ｎを超えたか否かを判断する。
【００２５】
一方、ＳＴ１７にて特売品ｍの商品別キーを拡大不可能と判断した場合には、ＳＴ１８及びＳＴ１９の処理を実行せず、ＳＴ２０のキー色変更処理のみ実行する。そして、特売品ｍの商品別キーの背景色を標準色から特売色に変更したならば、ＳＴ１４の処理に戻り、第１のカウンタ４２のカウント値ｍを１だけカウントアップして、第２カウンタ４３のカウント値ｎを超えたか否かを判断する。
【００２６】
かくして、ＣＰＵ１１は、現在時刻がタイムサービス期間の開始時刻を経過したタイムサービス情報メモリ４１に設定されている各特売品について、順次、その特売品の商品別キーが拡大可能か否かを判断し、拡大可能であれば拡大するとともに当該商品別キーの背景色を特売色に変更し、拡大不可能であれば拡大せずに当該商品別キーの背景色を特売色に変更する処理を繰り返す。そして、ＳＴ１５にて第１のカウンタ４２のカウント値ｍが第２カウンタ４３のカウント値ｎを超えた場合には、このサービス開始処理を終了し、図５中ＳＴ２の処理に戻って、登録禁止フラグＦ２をリセットするものとなっている。
【００２７】
図７は前記タイムサービス終了処理を具体的に示す流れ図である。ＣＰＵ１１は、このタイムサービス終了処理を開始すると、先ず、ＳＴ２１としてフラグメモリ４４の登録中フラグＦ１を調べる。そして、登録中フラグＦ１がセットされていた場合には、１商取引の商品登録中にタイムサービス終了時刻になったので、その商品登録が終了するまで、つまり登録中フラグＦ１がリセットされるまで待機する。
【００２８】
ＳＴ２１にて登録中フラグＦ１がリセットされていることを確認した場合には、ＳＴ２２としてフラグメモリ４５の登録禁止フラグＦ２をセットして、商品登録操作を一時的に禁止する。次に、ＳＴ２３として第１カウンタ４２のカウント値ｍを“０”に設定する。また、第２カウンタ４３のカウント値ｎを、現在時刻がタイムサービス期間の終了時刻に最も近いタイムサービス情報メモリ４１の特売品数Ｎに設定する。
【００２９】
次に、ＳＴ２４として第１のカウンタ４２のカウント値ｍを１だけカウントアップしたならば、ＳＴ２５としてこの第１のカウンタ４２のカウント値ｍが第２カウンタ４３のカウント値ｎを超えたか否かを判断する。ここで、第１のカウンタ４２のカウント値ｍが第２カウンタ４３のカウント値ｎを超えていない場合には、ＳＴ２６として現在時刻がタイムサービス期間の終了時刻に最も近いタイムサービス情報メモリ４１に設定されている特売品ｍ（ｍは第１のカウンタ４２のカウント値ｍ）の商品コードを取得する。そして、ＳＴ２７として商品別キー情報テーブル３０を参照して、当該商品コードが設定された商品別キーが拡大表示中か否かを判断する。具体的には、当該商品コードに対応して商品別キー情報テーブル３０に格納されている縦枠数及び横枠数を調べ、いずれか一方の枠数が「２」または「―２」になっているとき拡大中であると判断し、両枠数がいずれも「１」のときには拡大中でないと判断する。
【００３０】
ＳＴ２７にて拡大中と判断した場合には、ＳＴ２８としてキー枠縮小処理を実行する。この処理は、特売品ｍの商品別コードに対応する横方向枠数が「２」であった場合には、この横方向枠数を「１」に変更するとともに、特売品ｍの商品別キーを左方向に１／２に縮小する処理である。同様に、特売品ｍの商品別コードに対応する横方向枠数が「−２」であった場合には、この横方向枠数を「１」に変更するとともに、特売品ｍの商品別キーを右方向に１／２に縮小する処理であり、特売品ｍの商品別コードに対応する縦方向枠数が「２」であった場合には、この縦方向枠数を「１」に変更するとともに、特売品ｍの商品別キーを上方向に１／２に縮小する処理であり、特売品ｍの商品別コードに対応する縦方向枠数が「−２」であった場合には、この縦方向枠数を「１」に変更するとともに、特売品ｍの商品別キーを下方向に１／２に縮小する処理である。
【００３１】
次に、ＣＰＵ１１は、ＳＴ２９として特売品ｍの商品別キーの縮小により使用可能となったキーポジションの行列データに対応する使用可能フラグをセットする。すなわち、特売品ｍの商品コードに対応する行列データが（ｉ，ｊ）であり、この特売品ｍの商品別キーを左方向に縮小した場合には、行列データが（ｉ，ｊ＋１）に対応する使用可能フラグをセットする。同様に、特売品ｍの商品別キーを上方向に縮小した場合には、行列データが（ｉ＋１，ｊ）に対応する使用可能フラグをセットし、特売品ｍの商品別キーを右方向に縮小した場合には、行列データが（ｉ，ｊ−１）に対応する使用可能フラグをセットし、特売品ｍの商品別キーを下方向に縮小した場合には、行列データが（ｉ−１，ｊ）に対応する使用可能フラグをセットする。
【００３２】
次に、ＣＰＵ１１は、ＳＴ３０としてキー色復元処理を実行する。この処理は、特売品ｍの商品別キーの背景色を特売色から基準色に変更するとともに、特売品ｍの商品コードに対応して商品別キー情報テーブル３０に設定されている色コードを、特売色のコード１から標準色のコード０に変更する処理である。その後、ＣＰＵ１１は、ＳＴ２４の処理に戻り、第１のカウンタ４２のカウント値ｍを１だけカウントアップして、第２カウンタ４３のカウント値ｎを超えたか否かを判断する。
【００３３】
一方、ＳＴ２７にて特売品ｍの商品別キーが拡大中でないと判断した場合には、ＳＴ２８及びＳＴ２９の処理を実行せず、ＳＴ３０のキー色復元処理のみ実行する。そして、特売品ｍの商品別キーの背景色を特売色から標準色に変更したならば、ＳＴ２４の処理に戻り、第１のカウンタ４２のカウント値ｍを１だけカウントアップして、第２カウンタ４３のカウント値ｎを超えたか否かを判断する。
【００３４】
かくして、ＣＰＵ１１は、現在時刻がタイムサービス期間の終了時刻を経過したタイムサービス情報メモリ４１に設定されている各特売品について、順次、その特売品の商品別キーが拡大中か否かを判断し、拡大中であれば元のサイズに縮小するとともに当該商品別キーの背景色を標準色に戻し、拡大中でなければ当該商品別キーの背景色を標準色に戻す処理を繰り返す。そして、ＳＴ２５にて第１のカウンタ４２のカウント値ｍが第２カウンタ４３のカウント値ｎを超えた場合には、このサービス終了処理を終了し、図５中ＳＴ２の処理に戻って、登録禁止フラグＦ２をリセットするものとなっている。
【００３５】
今、タッチパネル部２ａに図８に示すレイアウトの商品別キー画面が表示されていた状態で、行列（Ｃ，１）位置の商品別キーｋ１の商品［商品Ｃ１］と、行列（Ｃ，３）位置の商品別キーｋ２の商品［商品Ｃ３］と、行列（Ｃ，６）位置の商品別キーｋ３の商品［商品Ｃ６］の３品を特売品とするタイムサービスの開始時刻になったとする。
【００３６】
この場合、商品別キーｋ１は、その下方の行列（Ｄ，１）位置が空いているので拡大可能と判断され、下方向に対して２倍に拡大されるとともに、背景色が標準色から特売色に変更される。このとき、商品別キー情報テーブル３０の行列データ（Ｃ，１）に対応する縦枠数が「２」となり、色コードが「１」となる。また、行列データ（Ｄ，１）に対応する使用可能フラグがリセットされる。同様に、商品別キーｋ２は、その左方の行列（Ｃ，４）が空いているので拡大可能と判断され、左方向に対して２倍に拡大されるとともに、背景色が標準色から特売色に変更される。このとき、商品別キー情報テーブル３０の行列データ（Ｃ，３）に対応する横枠数が「２」となり、色コードが「１」となる。また、行列データ（Ｃ，４）に対応する使用可能フラグがリセットされる。これに対し、商品別キーｋ３は、上下左右に隣接するいずれのキーも空いていないので拡大不可能と判断され、背景色のみ標準色から特売色に変更される。このとき、商品別キー情報テーブル３０の行列データ（Ｃ，６）に対応する色コードが「１」となる。その結果、タッチパネル部２ａに表示される商品別キー画面は、図８に示すレイアウトから図９に示すレイアウトに変更される。その後、タイムサービス期間が経過し、終了時刻を越えると、商品別キー画面は図８に示すレイアウトに戻る。
【００３７】
このように本実施の形態によれば、タイムサービス期間中の特売品［商品Ｃ１］，［商品Ｃ３］，［商品Ｃ６］の３品については、タイムサービスの開始とほぼ同時に、当該商品を単品登録するための商品別キーｋ１，ｋ３，ｋ６が自動的に拡大されたり背景色が特売色に変更されたりして他のキーよりも目立つようになるので、レジの操作に不慣れなキャッシャでも特売品［商品Ｃ１］，［商品Ｃ３］，［商品Ｃ６］が割り当てられた商品別キーｋ１，ｋ３，ｋ６を容易に探し出すことができる。タイムサービス期間中は特売品［商品Ｃ１］，［商品Ｃ３］，［商品Ｃ６］が数多く売れるので、商品別キーｋ１，ｋ３，ｋ６を探し出すのに時間を要していては会計時間が長くなり処理効率が低下するが、本実施の形態であればこのような懸念は全く無い。
【００３８】
なお、前記一実施の形態では、タイムサービス開始処理及びタイムサービス終了処理において、第１のカウンタ４２のカウント値ｍを１ずつカウントアップし、この第１のカウンタ４２のカウント値ｍが第２カウンタ４３のカウント値ｎを超えるか否かを判断して、超えた場合にタイムサービス開始処理及びタイムサービス終了処理を終了させたが、第２のカウンタ４３のカウント値ｎを１ずつカウントダウンし、この第２のカウンタ４３のカウント値ｎが第１カウンタ４２のカウント値ｍに達したか否かを判断して、達した場合にタイムサービス開始処理及びタイムサービス終了処理を終了させるようにしてもよい。
【００３９】
また、前記一実施の形態では、特売品を単品登録するための商品別キーの背景色を変更することで目立たせるようにしたが、当該商品別キーのキー名称を表示する色を変更することで目立たせることも可能である。
【００４０】
また、前記一実施の形態では、タイムサービスによる特売品の商品別キーを目立たせる場合を示したが、タイムサービス以外の特売による特売品の商品別キーを、拡大若しくは色の変更によって目立たせることも可能である。
この他、本発明の要旨を逸脱しない範囲で種々変形実施可能であるのは勿論である。
【００４１】
【発明の効果】
以上詳述したように、本発明によれば、特売期間中は特売対象の商品が割り当てられた商品別キーを特売対象外の商品が割り当てられた他の商品別キーよりも目立たせることができ、特売対象商品が割り当てられた商品別キーを誰もが容易に探し出すことができる商品販売登録データ処理装置を提供できる。
【図面の簡単な説明】
【図１】本発明の一実施の形態であるＰＯＳターミナルの外観斜視図。
【図２】同ＰＯＳターミナルの要部構成を示すブロック図。
【図３】同ＰＯＳターミナルのＲＡＭに形成される商品別キー情報テーブルの構成を示す図。
【図４】同ＰＯＳターミナルのＲＡＭに形成されるその他の主要なメモリエリアを示す図。
【図５】同ＰＯＳターミナルのＣＰＵが実行する登録モード処理の要部を示す流れ図。
【図６】図５のタイムサービス開始処理を具体的に示す流れ図。
【図７】図５のタイムサービス終了処理を具体的に示す流れ図。
【図８】タッチパネル部に表示される商品別キー画面のタイムサービス期間外の一例を示す図。
【図９】同商品別キー画面のタイムサービス期間中の一例を示す図。
【符号の説明】
１…ターミナル本体
２…キーボード
２ａ…タッチパネル部
２ａ１…パネルディスプレイ
２ａ２…タッチパネルセンサ
２ｂ…キーボード部
１１…ＣＰＵ
３０…商品別キー情報テーブル
４１…タイムサービス情報メモリ
【図１】
0003616048.tif 000002
【図２】
0003616048.tif 000003
【図３】
0003616048.tif 000004
【図４】
0003616048.tif 000005
【図５】
0003616048.tif 000006
【図６】
0003616048.tif 000007
【図７】
0003616048.tif 000008
【図８】
0003616048.tif 000009
【図９】
0003616048.tif 000010